(57)【特許請求の範囲】
【請求項１】
排水の消毒方法であって、
排水に、凝集剤を添加し、排水中に十分な時間をかけて微小なフロックを形成させる凝集剤添加工程と、
次いで、排水に臭素系又はヨウ素系消毒剤を添加時又は添加後に排水を撹拌する消毒剤添加工程と、
次いで、排水中に形成されたフロックを分離する工程と、
を含むことを特徴とする方法。
【請求項２】
排水の消毒装置であって、排水供給ライン及び凝集剤供給ラインが連結されている凝集剤添加槽と、
凝集剤添加槽の下流側に流体連通状態に連結されているフロック形成槽と、
フロック形成槽内に設けた臭素系又はヨウ素系消毒剤の添加部と、
フロック形成槽の下流側に流体連通状態に連結されたフロック分離槽と、
を備えることを特徴とする装置。
【発明の詳細な説明】
【０００１】
【発明の属する技術分野】
本発明は、排水を消毒する方法及び装置に関し、特に、雨水を含む下水の消毒方法及び装置に関する。本発明は、特に、合流式下水道越流水を消毒する用途に適している。
【０００２】
【従来の技術】
現在、一般家庭排水及び産業排水は、通常、雨水と共に下水処理場に送られて、順に、沈砂池処理（砂礫除去）、固液分離処理（懸濁物質（SS）除去）、活性汚泥処理（有機物分解）及び消毒の各工程からなる浄化・消毒処理を経た後、河川、湖沼、港湾、沿岸海域などの公共用水域に放流されている。一般家庭排水及び産業排水と、雨水とを同一管に捕集して下水処理場へ送る下水道方式を「合流式下水道」といい、この合流式下水道を流れている雨水を含む下水を雨水混入下水という。
【０００３】
この合流式下水道においては、降水量が多く、下水処理場での処理可能量を超える多量の雨水混入下水が流入するおそれがある場合には、雨水混入下水の一部を未処理のまま、雨水吐出室、ポンプ場などの下水排除施設から公共用水域に放流している。また、雨水混入下水の一部は、下水処理場で沈砂池処理のみを施した後、公共用水域に放流している。このように、雨水を多量に含み、未処理のまま放流される雨水混入下水を「合流式下水道越流水」という。
【０００４】
この合流式下水越流水には、一般的に、放流規制値（３，０００CFU/mL）を大きく越える大腸菌群（数万〜数十万CFU/mL）が含まれており、生物学的酸素要求量（ＢＯＤ）及び懸濁物質（ＳＳ）についても、それぞれ放流規制値が１６０mg/L及び２００mg/Lであるのに対して数十〜数百mg/及び数十〜数千mg/Lと非常に高くなる場合がある。公共用水域への汚濁負荷及び衛生上の観点からも、合流式下水道越流水を未処理のまま公共用水域へ排出することは避けなければならない。なお、CFUとは、コロニー形成単位（Colony Forming Unit）を意味する。
【０００５】
従来、下水処理における消毒剤としては、塩素系消毒剤が広く用いられているが、塩素系消毒剤を用いて合流式下水道越流水を消毒する場合には、合流式下水道越流水中に含まれる懸濁物質（特に有機性懸濁物質）の影響で塩素系消毒剤の消毒効果が低下してしまうこと；合流式下水道越流水中にアンモニウムイオンが含まれていると、塩素系消毒剤の消毒活性成分である活性塩素がアンモニウムイオンと反応してクロラミンを形成し、殺菌力が低下してしまうこと；接触時間が短いと消毒効果が得られないこと；消毒剤を多量に添加すると活性塩素が系中に残留してしまうこと；等の問題点がある。
【０００６】
そこで、本出願人は、特に合流式下水道越流水に対する有効な消毒方法として、臭素系消毒剤又はヨウ素系消毒剤を沈砂地に添加し、沈砂池滞留中に排水を消毒する方法を提案した。臭素系消毒剤又はヨウ素系消毒剤は、アンモニウムイオンの存在下でも消毒効果が低減せず、塩素系消毒剤に比べて消毒に要する時間が短く、消毒活性成分の残留も少ない、という優れた効果を示す。しかし、これらの消毒剤を用いる消毒方法でも、懸濁物質の共存による消毒効果低減の問題は解決されていない。
【０００７】
【解決しようとする課題】
そこで、本発明は、上述の問題点を解決し、特に合流式下水道越流水を効果的に消毒することのできる方法及び装置を提供することを目的とする。特に、懸濁物質を含む合流下水道越流水であっても、消毒剤の活性を低減させることなく、効果的に消毒することができる方法及び装置を提供することを目的とする。
【０００８】
【課題を解決する手段】
上述の問題点を解決すべく、本発明者らは鋭意研究を進め、排水を消毒剤で消毒する前に、排水中の懸濁物質を凝集剤でフロックにすることで、消毒剤の消毒効果を維持できることを見いだした。
【０００９】
すなわち、本発明によれば、排水に凝集剤を添加した後に、臭素系又はヨウ素系消毒剤を添加することを特徴とする排水の消毒方法が提供される。
本発明の排水消毒方法で処理される排水としては、懸濁物質を含む排水、特に多量の雨水を含む下水が好ましく、特に従来未処理のまま放流されていた合流式下水道越流水の消毒に有効である。
【００１０】
本発明においては、排水に凝集剤を添加して排水中の懸濁物質を微小なフロックとすることにより、排水中の懸濁物質と消毒剤との接触効率を低減し、これによって懸濁物質による消毒剤の消毒効果の低下を抑制することができ、消毒剤の消毒効果を維持することができる。
【００１１】
排水中の懸濁物質と消毒剤との接触効率を有効に低減するためには、排水に凝集剤を添加した後、排水中に微小なフロックが形成されるに十分な時間経過後に、前記消毒剤を添加することが好ましい。一般に、懸濁物質のフロックは、凝集剤添加直後には形成されず、添加後一定時間の経過を要して微細なフロックとなり、さらに時間の経過と共に大きなフロックへと成長する。消毒剤の添加は、微細フロックの生成以降であることが好ましく、本発明においては、凝集剤添加後、少なくとも５秒、好ましくは７秒、より好ましくは１０秒を経過してから消毒剤を添加することが望ましい。
【００１２】
本発明において用いられる凝集剤としては、無機凝集剤、高分子凝集剤及びこれらの組み合わせからなる群より選択される凝集剤を用いることができる。具体的には、ＦｅＣｌ3、ＰＡＣ（ポリ塩化アルミニウム）、硫酸バンド（硫酸アルミニウム）、ポリ鉄（ポリ硫酸第２鉄）、硫酸第１鉄などの無機凝集剤、ポリビニルスルホン酸塩、ポリアクリルアミド加水分解物等のアニオン系高分子凝集剤、ポリアクリルアミド、ポリビニルアルコール等のノニオン系高分子凝集剤、ポリジアルキルアミノエチルメタクリレート等のカチオン系高分子凝集剤などの高分子凝集剤を好ましく挙げることができる。
【００１３】
排水への凝集剤の好適な添加量は排水のＳＳ濃度によって異なる。一般に、汚泥発生量の低減という観点からは、無機凝集剤を使用せずに高分子凝集剤のみで対応することが好ましく、この際の添加量としては、０．１〜２mg/Lが好ましく、０．２〜０．５mg/Lがより好ましい。また、無機凝集剤の場合、例えばＦｅＣｌ3を添加する場合には、好ましい添加量は０〜１００mg/Lである。
【００１４】
本発明において用いられる臭素系又はヨウ素系消毒剤としては、例えば、ヒダントイン類、シアヌール酸類、イソチアゾロン類、ε−カプロラクタム類、フタールイミド類、ピロリドン類、アクリドン類、ウラシル類、スクシンイミド類、バルビツール類、クレアチニン類、ジオキソピペラジン類、ウラゾール類、グリシン無水物類、ω−ヘプタラクタム類、マレイン酸ヒドラジド類、マレイン酸イミド類、オクタラクタム類、オキシインドール類などを好ましく挙げることができる。これらの構造式を下記に示す。
【００１５】
【化１】
0003908918.tif 000002
【００１６】
ヒダントイン類(hydantoins)は、例えば、式IIで示される。上式IIにおいて、Ｘ1及びＸ2は、それぞれ、同一又は異なって、独立して、塩素原子、臭素原子又はヨウ素原子であり、ただし、Ｘ1及びＸ2の何れかは、臭素原子又はヨウ素原子であり；Ｒ1及びＲ2は、それぞれ、同一又は異なって、独立して、水素原子又は炭素数１０以下の低級アルキル基であり、好ましくは、水素原子又は炭素数６以下の低級アルキル基であり、更に好ましくは、水素原子又は炭素数３以下の低級アルキル基である。ヒダントイン類としては、例えば、１−ブロモ−３−クロロ−５，５−ジメチルヒダントイン（上式Iで示される化合物：ＢＣＤＭＨ）が挙げられる。ブロモクロロジメチルヒダントインは、高い安定性を有し、直射日光を避ければ数年間、活性を維持することができる。ＢＣＤＭＨは固体であり、解離することによって次亜臭素酸イオンが生成し、高い消毒効果を発揮する。
【００１７】
シアヌール酸類(cyanuric acids)は、例えば、上式IIIで示される。式III中、Ｒ1、Ｒ2及びＲ3は、それぞれ、同一又は異なって、独立して、塩素原子、臭素原子、ヨウ素原子、水酸基、水素原子又は炭素数１０以下の低級アルキル基であり、但し、Ｒ1、Ｒ2及びＲ3の少なくとも一つは、臭素原子又はヨウ素原子である。低級アルキル基は、炭素数６以下が更に好ましく、炭素数３以下が更に好ましい。
【００１８】
イソチアゾロン類(isothiazolon)は、例えば、上式IVで示される。式IV中、Ｘは、臭素原子又はヨウ素原子であり；Ｒ1及びＲ2は、それぞれ、同一又は異なって、独立して、塩素原子、臭素原子、ヨウ素原子、水素原子又は炭素数１０以下の低級アルキル基である。低級アルキル基は、炭素数６以下が更に好ましく、炭素数３以下が更に好ましい。例えば、５−クロロ−２−メチル−４−イソチアゾリン−３−オンが好ましい。
【００１９】
ε−カプロラクタム類（ε-caprolactams）は、例えば、上式Vで示される。式V中、Ｘは、臭素原子又はヨウ素原子である。
フタールイミド類(phthalimides)は、例えば、上式VIで示される。式VI中、Ｘは、臭素原子又はヨウ素原子である。
【００２０】
ピロリドン類(pyrrolidones)は、例えば、上式VIIで示される。式VII中、Ｘは、臭素原子又はヨウ素原子である。
アクリドン類(acrydones)は、例えば、上式VIIIで示される。式VIII中、Ｘは、臭素原子又はヨウ素原子である。
【００２１】
ウラシル類(uracils)は、例えば、上式IXで示される。式IX中、Ｘ1及びＸ2は、それぞれ、同一又は異なって、独立して、塩素原子、臭素原子又はヨウ素原子であり、ただし、Ｘ1及びＸ2の何れかは、臭素原子又はヨウ素原子であり；Ｒ1は、水素原子、炭素数１０以下の低級アルキル基、アミノ基又はニトロ基である。低級アルキル基は、炭素数６以下であることが好ましく、炭素数３以下であることが更に好ましい。Ｒ2及びＲ3は、それぞれ、同一又は異なって、独立して、水素原子又は炭素数１０以下の低級アルキル基であり、好ましくは、水素原子又は炭素数６以下の低級アルキル基であり、更に好ましくは、水素原子又は炭素数３以下の低級アルキル基である。
【００２２】
スクシンイミド類(succinimides)は、例えば、上式Xで示される。式X中、Ｘは、臭素原子又はヨウ素原子である。
【００２３】
【化２】
0003908918.tif 000003
【００２４】
バルビツール酸類(barbituric acids)は、例えば、上式XIで示される。式XI中、Ｘ1及びＸ2は、それぞれ、同一又は異なって、独立して、塩素原子、臭素原子又はヨウ素原子であり、ただし、Ｘ1及びＸ2の何れかは、臭素原子又はヨウ素原子であり；Ｒ1及びＲ2は、それぞれ、同一又は異なって、独立して、水素原子又は炭素数１０以下の低級アルキル基であり、好ましくは、水素原子又は炭素数６以下の低級アルキル基であり、更に好ましくは、水素原子又は炭素数３以下の低級アルキル基である。
【００２５】
クレアチニン類(creatinines)は、例えば、上式XIIで示される。式XII中、Ｘは、臭素原子又はヨウ素原子であり；Ｒは、水素原子又は炭素数１０以下の低級アルキル基であり、好ましくは、水素原子又は炭素数６以下の低級アルキル基であり、更に好ましくは、水素原子又は炭素数３以下の低級アルキル基である。
【００２６】
ジオキソピペラジン類(dioxopiperazines)は、例えば、上式XIIIで示される。式XIII中、Ｘ1及びＸ2は、それぞれ、同一又は異なって、独立して、塩素原子、臭素原子又はヨウ素原子であり、ただし、Ｘ1及びＸ2の何れかは、臭素原子又はヨウ素原子である。
【００２７】
ウラゾール類(urazoles)は、例えば、上式XIVで示される。式XIV中、Ｒ1、Ｒ2及びＲ3は、それぞれ、同一又は異なって、独立して、塩素原子、臭素原子、ヨウ素原子、水素原子又は炭素数１０以下の低級アルキル基であり、ただし、Ｒ1、Ｒ2及びＲ3の何れかは、臭素原子又はヨウ素原子である。低級アルキル基は、炭素数６以下が好ましく、炭素数３以下が更に好ましい。
【００２８】
グリシン無水物類(glycine anhydrides)は、例えば、上式XVで示される。式XV中、Ｘ1及びＸ2は、それぞれ、同一又は異なって、独立して、塩素原子、臭素原子、ヨウ素原子、水素原子又は炭素数１０以下の低級アルキル基であり、Ｘ1及びＸ2の何れかは、臭素原子又はヨウ素原子である。低級アルキル基は、炭素数６以下が好ましく、炭素数３以下が更に好ましい。
【００２９】
ω−ヘプタラクタム類（ω−heptalactams）は、例えば、上式XVIで示される。式XVI中、Ｘは、臭素原子又はヨウ素原子である。
マレイン酸ヒドラジド類(maleic acid hydrazides)は、例えば、上式XVIIで示される。式XVII中、Ｘ1及びＸ2は、それぞれ、同一又は異なって、独立して、塩素原子、臭素原子又はヨウ素原子であり、ただし、Ｘ1及びＸ2の何れかは、臭素原子又はヨウ素原子である。
【００３０】
マレイン酸イミド類(maleimides)は、例えば、上式XVIIIで示される。式XVIII中、Ｘは、臭素原子又はヨウ素原子である。
【００３１】
【化３】
0003908918.tif 000004
【００３２】
オクタラクタム類(octalactams)は、例えば、上式XIXで示される。式XIX中、Ｘは、臭素原子又はヨウ素原子である。
オキシインドール類(oxindoles)は、例えば、上式XXで示される。式XX中、Ｘは、臭素原子又はヨウ素原子である。
【００３３】
本発明で用いることができる消毒剤は、上記式（Ｉ）〜（XX）に示されるように、窒素原子又は硫黄原子を含む、４〜１０員複素環を含むことが好ましく、５〜９員複素環を含むことが更に好ましい。複素環は、１〜４個のヘテロ原子を含むことが好ましく、１〜３個のヘテロ原子を含むことが更に好ましい。ヘテロ原子は、窒素原子又は硫黄原子である。
【００３４】
複素環の環骨格には、式−Ｎ(Ｘ)−で示される基（Ｘは、塩素原子、臭素原子又はヨウ素原子であり、好ましくは、臭素原子又はヨウ素原子であり、更に好ましくは、臭素原子である。）を含むことが好ましい。
【００３５】
【化４】
0003908918.tif 000005
【００３６】
上式XXIで示されるように、複素環Ａの環骨格には、式−Ｎ(Ｘ)−Ｃ(＝Ｏ)−で示される基（式中、Ｘは臭素原子又はヨウ素原子を含む。）を含むことが更に好ましい。この構造の場合には、特に、次亜ハロゲン酸を生成し易いからである。
【００３７】
複素環は、上記式VI、VIII、XXで示されるように、他の環、例えば、ベンゼン環のような芳香族環と縮合していてもよい。
本発明の方法においては、消毒剤としては、１−ブロモ−３−クロロ−５，５−ジメチルヒダントイン（ＢＣＤＭＨ）を特に好ましく用いることができる。
【００３８】
本発明においては、上記消毒剤を液体状態で排水に添加することが好ましい。固体の消毒剤を排水に直接添加すると、溶解していない固体が排水と共に放流され、公共用水域で水棲生物に悪影響を与えるおそれがあるので好ましくない。したがって、上述に記載の消毒剤が室温で固体の場合には、これを水又は排水の一部に十分に溶解して消毒水とした後に、排水に加えることが好ましい。
【００３９】
消毒剤の添加量は、ＳＳ含有量、ＣＯＤ、ＢＯＤによっても異なるが、一般に、活性塩素濃度に換算して０．５〜２５mg/L as Clであることが好ましく、１〜１５mg/L as Clであることがより好ましい。
【００４０】
本発明においては、さらに、前記消毒剤添加時又は添加後に、消毒剤が添加された排水を撹拌し、次いで、排水中に形成されたフロックを分離することが望ましい。消毒剤を添加してから、排水を撹拌することによって、排水と消毒剤との接触効率が高まり、消毒作用を高めることができる。
【００４１】
なお、消毒効果を十分に奏せしめるためには、排水と消毒剤とを、少なくとも１０秒、好ましくは３０秒以上接触させることが望ましい。
以上の本発明による方法にしたがって排水を十分に消毒した後、排水からフロック状態の懸濁物質を除去し、処理水を得て公共用水域に放流することができる。フロック除去は、沈殿槽による沈降分離、濾材を利用する濾過等、当該技術において公知の方法を用いて行うことができる。
【００４２】
【好ましい実施形態】
以下、添付図面を参照しながら、本発明の好ましい実施形態を説明するが、本発明はこれらに限定されるものではない。
【００４３】
図１は、本発明の第１の実施形態による排水消毒装置の概略断面図である。本実施形態において、消毒装置は、排水供給ラインＬ１及び凝集剤供給ラインL２が連結されている凝集剤添加部と、凝集剤添加部の下流側に位置する消毒剤添加部と、消毒剤添加部の下流側に位置するフロック分離部と、を備える固液分離槽１として構成されている。
【００４４】
固液分離槽１は、上方部に処理水の流出管２、底部に濃縮汚泥（及び分離されたフロック）の流出管３を有する。固液分離槽１内部には、ほぼ中心部に上方から中央付近まで延在するドラフトチューブ４が配備され、ドラフトチューブ４には上方部に排水供給ラインＬ１及び凝集剤供給ラインＬ２が接続している流入管５（凝集剤添加部）が接続されている。ドラフトチューブ４内には、その中心線に沿って固液分離槽１下部まで連通する回転軸６が配備され、該回転軸６には、該ドラフトチューブ４内下方部にて多段の撹拌翼７が固着され、ドラフトチューブ４の直下にて多段の撹拌翼９が固着されている。さらに、撹拌翼９下方にて、ドラフトチューブ４の内径よりも長寸法の阻止板８が回転軸６に固着されている。また、固液分離槽１下部にて、ピケットフェンス及びスクレーパ１０が回転軸６に固着されている。
【００４５】
固液分離槽１のドラフトチューブ４の外周には、下方部から上部に向かって、濾材受スクリーン１１、回転軸６に固着されている撹拌棒１２、接触濾材層１３、及び濾材流出防止用スクリーン１４が順次配備されている（フロック分離部）。
【００４６】
この固液分離槽１を用いて、本発明の排水消毒方法を実施する手順について説明する。
排水供給ラインＬ１からの排水に、凝集剤供給ラインＬ２から凝集剤を添加し、排水及び凝集剤を混合した状態で、流入管５を通過させ、固液分離槽１内のドラフトチューブ４に流入させる。凝集剤が添加された排水中では、排水中の懸濁物質と凝集剤との会合により微細なフロックの形成が進行する。次いで、微細なフロックを含む排水に、消毒剤を液体状態で添加する。消毒剤の添加位置は、微細フロックの生成以降とすべきであり、流入管５内のＡ点でもよいが、好ましくはドラフトチューブ４内のＢ点、より好ましくはＣ点で消毒剤を添加することが好ましい。微細なフロックを含み、消毒剤が添加された排水は、ドラフトチューブ４内を流下しながら、撹拌翼７により撹拌される。次いで、ドラフトチューブ４から流下した排水は、阻止板８に衝突して、上向流となり、撹拌翼９によりさらに撹拌される。こうして、排水は消毒剤と充分に接触するようになり、一方、排水に含まれていた懸濁物質から形成されたフロックの一部は、撹拌することにより緻密化したペレットになる。沈降速度の速いペレット（緻密化したペレット）は固液分離槽１下部に沈降し、沈降速度の遅いペレットや緻密化しなかったフロックは、排水と一緒に接触濾材層１３に達する。接触濾材層１３により、排水と固形分（沈降速度の遅いペレットや緻密化しなかったフロック）が分離・除去され、接触濾材層１３を通過した液体分が処理水として流出管２を介して公共用水域に放流される。
【００４７】
図２は、本発明の別の実施形態の排水消毒装置を示す概略フロー図である。本実施形態において、排水消毒装置は、排水供給ラインＬ１１及び凝集剤供給ラインＬ２１、Ｌ２２が連結されている凝集剤添加槽２０、２１と、凝集剤添加槽２０、２１の下流側に流体連通状態に連結されているフロック形成槽２２と、フロック形成槽２２の下流側に流体連通状態に連結されていて、傾斜板２３を備えるフロック分離槽２４と、フロックが分離除去された後の処理水を放流する流出管２６と、を備える。図示した実施形態においては、凝集剤添加ラインは、高分子凝集剤添加ラインＬ２１及び無機凝集剤添加ラインＬ２２からなり、凝集剤添加槽は、急速撹拌槽２０及び注入撹拌槽２１からなる。急速撹拌槽２０には、下部に排水供給ラインＬ１１が、上部に無機凝集剤添加ラインＬ２２がそれぞれ接続されている。急速撹拌槽２０の下流側には、注入撹拌槽２１が急速撹拌槽２０と槽の上部で流体連通するように設けられており、注入撹拌槽２１上部には高分子凝集剤供給ラインＬ２１が接続されている。注入撹拌槽２１の下流側には、フロック形成槽２２が槽の下部で流体連通するように設けられている。フロック形成槽２２の下流側には、フロック分離槽２４が槽の上部で流体連通するように設けられている。図示した実施形態においては、フロック分離槽は、上部に傾斜板２３、底部に汚泥沈殿部２５、及び傾斜板２３の下流側で槽上部に処理水流出管２６を有する沈殿槽２４として構成されている。図示した実施形態の装置では、さらに、沈殿槽２４と流体連通状態に連結されている液体サイクロン２７を備え、汚泥沈殿物から砂などの粒状物質を分離回収して、注入撹拌槽２１に戻すように配置されている。また、急速撹拌槽２０、注入撹拌槽２１及びフロック形成槽２２には、各々、槽中心部に撹拌翼が設けられている。
【００４８】
次に、図２に示す排水消毒装置を用いる場合の排水消毒手順を説明する。
まず、排水供給ラインＬ１１を介して急速撹拌槽２０に排水を供給し、無機凝集剤添加ラインＬ２２を介して槽内に無機凝集剤を添加する。排水及び無機凝集剤との接触効率を高めるため、急速撹拌槽２０内部の液体を撹拌翼によって撹拌する。次いで、無機凝集剤を含む排水を注入撹拌槽２１に溢出させ、ここで、高分子凝集剤供給ラインＬ２１を介して槽内に高分子凝集剤を添加する。注入撹拌槽２１内でも、排水と凝集剤との接触効率を高めるため、液体を撹拌翼によって撹拌する。次に、無機凝集剤及び高分子凝集剤を含む排水をフロック形成槽２２に流出させ、ここで、排水中の懸濁物質と凝集剤との会合によってフロックを形成・成長させ、撹拌を続けることによって緻密化したペレットを形成させる。消毒剤の添加位置は微細フロックの形成以降とすべきであるので、フロック形成槽２２内のＤ点、好ましくはＥ点、より好ましくはＦ点で、消毒剤を液体状態で添加し、撹拌翼によって液体を撹拌する。この撹拌によって、排水と消毒剤との接触効率を高める。次に、消毒剤並びにペレット及びフロックを含む排水を沈殿槽２４に溢出させ、傾斜板２３を通過させ、ペレット及びフロックなどを含む汚泥と、処理水とに分離する。汚泥は沈殿槽２４底部の汚泥沈殿部に沈殿する。処理水は、傾斜板２３下流側に設けられている処理水流出管２６を介して放流される。
【００４９】
汚泥沈殿部２５に集められた汚泥は、汚泥送出ラインＬ２５を介して液体サイクロン２７まで送られて、液体サイクロン２７で、汚泥と、砂などの粒状物質（マイクロサンド）と、に分離される。汚泥は、液体サイクロン２７から排出されて、慣用の手順で処理される。粒状物質（マイクロサンド）は、注入撹拌槽２１に戻される。このように、マイクロサンドを注入撹拌槽２１での凝集沈殿処理に加えると、フロック中にマイクロサンドが取り込まれてフロックの沈降速度が速くなり、高速沈殿処理が可能になる。砂は、サイクロンでフロックと分離回収されて再利用される。
【００５０】
【実施例】
実施例として、図１に示す排水消毒装置を用いて行った本発明の排水消毒方法の処理実験結果を以下に示す。被処理水として、大腸菌を含む下水を純水で希釈して調製した模擬排水を用いた。模擬排水の水質を表１に示す。
【００５１】
【表１】
0003908918.tif 000006
【００５２】
凝集剤としてカチオン系高分子凝集剤（荏原製作所製、商品名エバグロースＣＳ２８０）を、消毒剤として１−ブロモ−３−クロロ−５，５−ジメチルヒダントイン（ＢＣＤＭＨ）（荏原製作所製、商品名エバサニー４４００）を用いた。実験１及び２において、それぞれ、消毒剤の添加量を一定とし、高分子凝集剤の添加量、及び凝集剤添加から消毒剤添加迄の時間を変化させて、大腸菌群に対する殺菌効果を観察した。実験条件及び結果を表２に示す。
【００５３】
【表２】
0003908918.tif 000007
【００５４】
上記実験結果から、凝集剤を添加することによって、消毒剤のみ添加した場合に比べて、残存大腸菌数が放流規制値（３０００CFU/mL）以下まで顕著に減少しており、有効に消毒処理できたことがわかる。また、凝集剤添加から消毒剤添加までの時間を長くするほど、有効に消毒処理できたことがわかる。
【００５５】
【発明の効果】
本発明によれば、懸濁物質を含む排水、特に、雨水を含む下水、さらに好ましくは合流式下水道越流水を効率よく消毒することができる。特に、本発明の方法によれば、従来の方法では懸濁物質によって阻害されていた消毒活性を損なうことなく活性状態のまま維持することができ、結果的に、消毒剤の使用量を低減することが可能である。
【図面の簡単な説明】
【図１】図１は、本発明の消毒方法を実施するに適する本発明の消毒装置の一実施形態を示す概略断面図である。
【図２】図２は、本発明の消毒装置の別の実施形態を示す概略フロー図である。
【符号の説明】
１：固液分離槽                    ２：処理水流出管
３：汚泥流出管                    ４：ドラフトチューブ
５：排水・凝集剤流入管              ７：撹拌翼
８：阻止板                          ９：撹拌翼
Ｌ１；Ｌ１１：排水供給ライン      Ｌ２：凝集剤供給ライン
Ｌ２１：高分子凝集剤供給ライン  Ｌ２２：無機凝集剤供給ライン
２０：急速撹拌槽                  ２１：注入撹拌槽
２２：フロック形成槽              ２３：傾斜板（フロック分離部位）
２４：沈殿槽                      ２６：処理水流出管
Ｌ２５：汚泥送出ライン            ２７：液体サイクロン
Ａ，Ｂ，Ｃ，Ｄ，Ｅ，Ｆ：消毒剤添加位置
【図１】
0003908918.tif 000008
【図２】
0003908918.tif 000009